(57)【要約】【課題】  従来の家庭内のペット用のトイレは容器内に猫砂を入れたものであり、１、２週間に一度容器内の猫砂を全て捨てて容器を洗い、新しい猫砂を入れ替えなくてはならないものであるため、手間がかかり、さらにゴミとして捨てられる猫砂が多量である。  【解決手段】  底部が液透過構造のシート７となっている容器５に撥水性の粒状体４を入れる。この容器５の底部のシート７の下には、支持体１３に支持された吸液シート８が前記シート７に密着して設けられる。尿は撥水性の粒状体４を通り容器５の底部のシート７を通過して吸収シート８に吸収される。よって、容器５内に尿が残らない。トイレの清掃は一日に一回吸液シート８を取り替えるだけであり、また１、２ヶ月に一度粒状体４を全て取り替えればよく、手間がかからず、またゴミの量を減らすことができる。【選択図】        図１
2005110700.tif 000002
【特許請求の範囲】
【請求項１】
上方が開口し底部が液通過構造とされ且つ多数の粒状体が収納される粒状体収納部と、液通過構造の前記底部の下側に位置する液吸収体の設置部とを有し、液吸収体が前記設置部に取り出し自在に設置されることを特徴とするペット用トイレ。
【請求項２】
液吸収体は吸液シートであり、この吸液シートが敷設された支持体が、前記設置部に取り外し自在に設置される請求項１記載のペット用トイレ。
【請求項３】
液吸収体の設置部に支持体が設置されたときに、この支持体に敷設された前記吸液シートが、液通過構造の前記底部にほぼ密着する請求項２記載のペット用トイレ。
【請求項４】
粒状体収納部は容器内に形成され、本体部に前記容器が取り外し自在に支持され、本体内では前記容器の下側に前記液吸収体の設置部が設けられている請求項１ないし３のいずれかに記載のペット用トイレ。
【請求項５】
粒状体は少なくとも表面が撥水性である請求項１ないし４のいずれかに記載のペット用トイレ。
【請求項６】
粒状体は消臭機能を有するものである請求項１ないし５のいずれかに記載のペット用トイレ。
【発明の詳細な説明】
【技術分野】
【０００１】
本発明は、猫や犬などのペット用のトイレに係り、トイレの清掃を清潔且つ簡単に行うことができ、またゴミとして捨てられる猫砂の量を減らすことができるペット用トイレに関する。
【背景技術】
【０００２】
室内で飼われている猫や犬などのペット用トイレとして、プラスチック製の容器にいわゆる猫砂と呼ばれる粒状体が入れられたものが一般的に使用されている。
【０００３】
図６はこのようなペット用トイレの全体を示す斜視図である。
図６に示すように、プラスチック製の容器１は上面が開口しており、その中央に凹部１ａが形成され、この凹部１ａに猫砂２が適当量入れられる。猫砂２としては、鉱物系のゼオライトあるいは川の砂、あるいは尿などを吸収すると固まるベントナイト、粉砕パルプ等を固めて粒状に成形したセルロース粒などが一般的に使用されている。猫などのペットは前記容器の周縁部１ｂをまたいで容器１の凹部１ａ内に入り、前記猫砂２の上から尿や便などを排泄する。飼い主は、尿や便で汚れた猫砂２を便などといっしょにスコップ等ですくって容器１内から取り除き、取り除いた分新しい猫砂を補充する。
【０００４】
しかし、猫などは排泄後に猫砂を足でかき混ぜるため、尿や便で汚れる猫砂の量が多くなり、さらに汚れた猫砂２が拡散されてしまい、汚れた部分のみを完全に除去することはできない。また、猫砂２として使用される前記ゼオライトや川の砂などは尿を吸収するものではなく、またベントナイトやセルロース粒は尿をある程度吸収するが、完全に吸収することはできない。このため、尿は猫砂を通って容器の底面に溜まりやすい。さらに、猫が猫砂２をかき混ぜたときに、排泄物が猫の足に付着し、この尿や便で汚れた足で容器１に触れるため、容器１に尿や便が付着し、悪臭の原因となる。
【０００５】
このため、飼い主は、１週間ないし２週間に１度の割合で容器１内の猫砂２をすべて捨て、容器１を洗浄して乾かした後、この容器に新しい猫砂を入れてトイレを清潔に保つようにすることが必要である。
【発明の開示】
【発明が解決しようとする課題】
【０００６】
このように、ペットが尿や便などを排泄する度に、尿や便で汚れた猫砂２をすくって除去しなくてはならず、さらに、少なくとも１、２週間に一度の割合で容器１内の猫砂２を全て捨てて、容器１を洗浄しなくてはならないため、手間がかかる。また、容器の洗浄や猫砂の廃棄の際に、容器や猫砂に付着しているペットの尿や便が手についてしまうため、衛生的ではない。
【０００７】
また、猫砂２をペットの排泄の度に捨てたり、また１、２週間に一度全て取り替えるため、ゴミとなる猫砂２の量が非常に多い。猫砂２として使用されるゼオライト等の鉱物系の砂は不燃性のものであるため、ゴミとして処理しにくいという問題がある。これに対しセルロース粒は可燃性であるため、前記ゼオライトより廃棄処分しやすい。特に、セルロース粒に吸水性のポリマーなどの粘着材をコーティングした粒子を使用する場合、これは尿を吸水すると固まり、尿を吸収した部分のみを取り除きやすい。
【０００８】
しかし、セルロース粒の表面に吸水性ポリマーがコーティングされたものを使用した場合に、ゴミとして廃棄される猫砂の量がかなり多くなる。一回に容器内に入れる猫砂の量は大体３リットルないし５リットルであるため、１週間に一回、トイレ内の猫砂を全て取り替えるとすると、一ヶ月で約２０リットルの猫砂をゴミとして出すことになる。また、猫の尿量は一回につき３０ｃｃ程度であり、一日につき２回から３回尿を排泄するが、排尿のたびに尿を吸収した猫砂を捨てることになるため、実際には一ヶ月に２０リットル以上の猫砂２を捨てていることになる。このため、ゴミが嵩張り、可燃性の猫砂であっても、処理が大変である。
【０００９】
ゴミの量を減らすため、猫砂の代わりに吸液シートを使用することも考えられているが、室内で飼われる代表的なペットである猫は、その習性上砂の上で排泄することを好み、シートの上ではなかなか排泄しない。またシートの上で排泄するとしても、シートの中央に自分の頭がくるような位置に座るため、お尻がシートの端に位置し、シートの外側に排泄してしまい、シートの外側の床が汚れてしまう。このため、床の掃除をしなくてはならず、手間を省くことはできない。
【００１０】
本発明は上記従来の課題を解決するものであり、手を汚さず、また手間をかけずに清掃でき、且つゴミの量を減らせるペット用トイレを提供することを目的としている。
【課題を解決するための手段】
【００１１】
本発明のペット用トイレは、上方が開口し底部が液通過構造とされ且つ多数の粒状体が収納される粒状体収納部と、液通過構造の前記底部の下側に位置する液吸収体の設置部とを有し、液吸収体が前記設置部に取り出し自在に設置されることを特徴とするものである。
【００１２】
上記において、液吸収体は吸液シートであり、この吸液シートが敷設された支持体が、前記設置部に取り外し自在に設置されるものとすることが可能である。
【００１３】
この場合に、液吸収体の設置部に支持体が設置されたときに、この支持体に敷設された前記吸液シートが、液通過構造の前記底部にほぼ密着することが好ましい。
【００１４】
また、粒状体収納部が容器内に形成され、本体部に前記容器が取り外し自在に支持され、この本体部の前記容器の支持部の下側に前記液吸収体の設置部が設けられている構造とすることができる。
【００１５】
さらに、粒状体は少なくとも表面が撥水性であることが好ましく、また、消臭機能を有するものであることが好ましい。
【００１６】
本発明のペット用トイレは、底部が液通過構造となっている粒状体収納部に多数の（所定量の）粒状体が収納される。この粒状体としては、従来の猫砂を用いてもよいが、撥水性の粒状体を使用することができる。すなわちこのトイレでは、尿が粒状体内を通過して液通過構造の底部から下方へ滴下しても、その下方に位置する吸液シートなどの液吸収体で吸収されるものとなっているため、前記粒状体として撥水性のものを使用することが可能である。
【００１７】
撥水性の粒状体としては、ポリプロピレン（ＰＰ）などの樹脂や、合成ゼオライト、天然ゼオライト、ガラス系などの無機系材料で形成された外径寸法が２ｍｍから４ｍｍ程度の円柱形状または球状のものを使用することができる。またＰＰなどの樹脂や無機系材料で形成された撥水性の粒状体に、銀、銅、亜鉛などの無機系の抗菌剤を練り込んで、抗菌性の粒状体とすることが好ましい。また可燃性の粒状体として、セルロースなどの粒の表面に撥水処理を施したものを使用することも好ましい。このセルロース粒表面を撥水処理する方法としては、例えばシリコンを粒状体の表面に含浸または付着させてこのシリコンを熱硬化させることにより、粒状体の表面にシリコン被膜を形成する方法などが挙げられる。
【００１８】
また、粒状体としては、防臭機能を有するものが特に好ましい。具体的には、前記ＰＰ粒などで形成された撥水性の粒状体に消臭剤を練り込んだり、また粒状体の表面に消臭剤をコーティングしたものを使用することができる。
【００１９】
ここでいう消臭剤とは、尿臭の原因であるアンモニア臭を中和するものや、尿の腐敗をおさえ尿の腐敗臭を低減するものがある。アンモニアを中和するものとしては、脂肪族カルボン酸のような有機酸や、金属フタロシアニンのような人工酵素が挙げられる。また、尿の腐敗をおさえるものは一般に抗菌剤と呼ばれるもので、例えばチアゾリン系、有機ハロゲン系、銀ゼオライト系の抗菌剤が使用される。または前記粒状体に活性剤両性タイプ、フラボノイド等の液体の消臭剤を含浸させ、あるいは混合させてもよい。
【００２０】
粒状体収納部の下側に設置される液吸収体としては、例えば不織布や、紙、シート状にした綿などの吸液シートが主に使用される。この吸液シートは、プラスチックなどで形成された支持体に敷設されて、前記液通過構造の粒状体設置部の下側に配置される。また前記吸液シートの裏面にポリプロピレン樹脂などで形成された不透液性のシートを積層し、液不通過構造とすることがより好ましい。
【００２１】
また液吸収体として、吸水性樹脂や、シリカゲルなどの吸水性物質、粉砕パルプ等を使用してもよい。この場合、中央に凹部が形成されたトレイ（支持体）の前記凹部の中にこれらの液吸収体が収納され、粒状体収納部の下方に配置される。また、前記液吸収体とともに消臭剤を収納してもよい。
【００２２】
このペット用トイレは、従来の猫砂と同様に多数の粒状体の処理材が敷かれているため、猫などのペットが自然にトイレに入り、粒状体の上に尿や便を排泄することができる。撥水性の粒状体を用いると、尿は粒状体に吸収されず、撥水性の粒状体の間隙を通って粒状体収納部の底部に到達する。底部はメッシュ状または網状などの液通過構造であるため、尿は底部を通過し、その下の吸液シートなどの液吸収体に吸収される。よって、尿をする度に粒状体を捨てる必要はなく、一日に一回程度液吸収体を取り替えればよい。このため、トイレの清掃の手間を省くことができる。さらに前記液吸収体として吸液シートを使用した場合、一日のゴミの量はシート一枚分であるため、ゴミの量を減らすことができる。
【００２３】
また、液吸収体として吸液シートを使用した場合、この吸液シートを液通過構造の前記底部に密着させ、またはほぼ密着させると、メッシュ状または網状の粒状体収納部の底部に尿が付着して残ることがなく、吸液シートに尿が確実に吸収される。
【００２４】
また、撥水性の粒状体に付着する尿は微量であるため、従来の猫砂を使用した場合に比較して悪臭が発生しにくい。また、使用するにつれて、便や尿が撥水性の粒状体に付着するが、消臭機能を有する粒状体を使用すれば、悪臭をある程度除去できる。また粒状体に抗菌処理を施しておくと、衛生的である。
【００２５】
また、撥水性の粒状体に付着した汚れを落とすために、１週間から２週間に一度の割合で、前記撥水性の粒状体の上から洗浄液をかけて粒状体を洗浄することにより、粒状体を長期間使用できる。
【００２６】
また、１、２ヶ月に一度の割合で撥水性の粒状体を新しいものと替えてもよい。この場合、粒状体収納部として底部が液通過構造の柔軟なプラスチックなどで形成された容器を用いると、容器ごと交換が可能である。また容器を表面に撥水処理を施した厚紙などで形成しておくと、容器ごと粒状体を廃棄することができる。この場合に粒状体を撥水処理したセルロースなどの可燃性のものとしておくと、容器と粒状体を一緒に焼却処分できる。
【発明の効果】
【００２７】
本発明は、粒状体の下に置かれた液吸収体により尿を吸収できるため、頻繁な猫砂の取り替えが不要になり、また清掃も容易である。特に、液吸収体を粒状体設置部の液透過構造の底部にほぼ密着させるように構成すると、粒状体設置部内の尿が吸収体に確実に伝わるようになり、粒状体設置部内に残る尿を少なくでき、悪臭を防止できる。また粒状体を長期間使用できるため、ゴミの量を低減できる。
【発明を実施するための最良の形態】
【００２８】
図１は本発明のペット用トイレの全体を示す斜視図、図２はペット用トイレの断面図、図３（Ａ）（Ｂ）は粒状体収納部となる容器の斜視図である。
【００２９】
符号４は撥水性の粒状体である。この撥水性の粒状体４は、ポリプロピレン（ＰＰ）などのプラスチック材料あるいは合成ゼオライト、天然ゼオライト、ガラス系の物質に銀、銅、亜鉛金属などの無機系の抗菌性物質を練り込んで形成された撥水性の粒である。または、可燃性の粒状体４として、セルロースで形成された粒の表面に、例えばシリコンを含浸または付着させてこのシリコンを熱硬化させることにより、粒状体の表面にシリコン被膜を形成することなどにより、撥水処理したもの、またはこのように撥水処理を行うとともに、抗菌処理したものでもよい。
【００３０】
あるいは、前記粒状体４として、消臭機能を有するものが好ましい。ＰＰ粒などで形成された撥水性の粒状体に消臭剤を練り込んだり、また粒状体の表面に消臭剤をコーティングしたものを使用することができる。前記消臭剤としては、尿臭の原因であるアンモニア臭を中和するものや、尿の腐敗をおさえ尿の腐敗臭を低減するものがある。アンモニアを中和するものとしては、脂肪族カルボン酸のような有機酸や、金属フタロシアニンのような人工酵素が挙げられる。また、尿の腐敗をおさえるものは一般に抗菌剤と呼ばれるものであり、本発明においては例えばチアゾリン系、有機ハロゲン系、銀ゼオライト系の抗菌剤が使用される。または前記粒状体に活性剤両性タイプ、フラボノイド等の液体の消臭剤を含浸させ、あるいは混合させてもよい。
【００３１】
これらの粒状体４は、例えば各図に示す球形状、または円柱形状などである。粒状体４の外径寸法は２ｍｍから４ｍｍ程度であり、この程度の大きさであると、猫などのペットの爪の間に粒状体４が入り込まない。
【００３２】
撥水性の粒状体４は、容器５に収納されて使用される。容器５はプラスチック製あるいは表面が撥水加工された厚紙などで形成されている。粒状体４がＰＰなどのプラスチック材である場合には容器５がプラスチック製であってもよいが、粒状体４がセルロースなどを主体とした可燃性である場合には、容器５も紙製とし、使用後に容器５および粒状体４を一緒に焼却処理できるようにすることが好ましい。また、容器５をポリプロピレンやポリエチレン樹脂などから成る柔軟なプラスチックで形成し、不燃性の粒状体４と一緒に容器ごと不燃ゴミとして廃棄できるようにしてもよい。
【００３３】
図３（Ｂ）に示されるように、前記容器５の開口部周囲にはフランジ部（鍔部）５ａが形成されており、容器５内に所定数の粒状体４が入れられた状態で、フランジ部５ａにシール材６が取付けられ、使用直前にこのシール材６を剥がすようにしてもよい。シール材６は、フィルムなどであり、フランジ部５ａにホットメルト型接着剤などで剥離可能に接着される。
【００３４】
容器５の粒状体収納部５ｂ内に前記粒状体４が収納されるが、図３（Ａ）に示されるようにこの粒状体収納部５ｂの底部５ｃには、メッシュ状または網状の液透過構造のシート７が張られている。この液透過構造のシート７は、撥水性であることが好ましい。ただし、底部５ｃに多孔質の板が設けられ、この板が容器５と一体に形成されていてもよい。または比較的薄い樹脂シートにより容器５が形成され、この容器５の底部５ｃに多数の孔が形成されて、底部が液透過構造とされていてもよい。
【００３５】
図１に示すように前記容器５は、本体部１０内に設置される。本体部１０はプラスチック製であり、上方が開口している。本体部１０の内面には、支持台１０ａが枠状に形成されており、この支持台１０ａには、矩形状の設置穴１０ｂが開口している。容器５の収納部５ｂは前記設置穴１０ｂ内に挿入され、フランジ部５ａが支持台１０ａの上面に載せられて、容器５が本体部１０内で支持される。
【００３６】
前記本体部１０の下部は、液吸収体の設置部１１である。この液吸収体の設置部１１の前方には開口部１１ａが形成されている。液吸収体の設置部１１には、底板１２が設けられている。底板１２は、本体部１０と一体に形成されているものであり、前記支持台１０ａにほぼ平行で且つ設置部１１の底部の全面にわたって形成されている。この底板１２は、支持台１０ａに平行な水平部１２ａと、この水平部１２ａと連続して設けられて設置穴１０ｂに向かって上向きに傾斜する傾斜部１２ｂと、傾斜部１２ｂの奥側に連続して設けられたストッパ部１２ｃから成る。また、ストッパ部１２ｃの本体部１０の内側壁側の端部と本体部１０の内側壁との間には隙間１２ｄが形成されている。また、底板１２には、本体部１０ａの両側壁から所定間隔離れた位置にて、設置部１１の開口部１１ａから奥側へ延びる一対の案内溝１２ｅが形成されている。  
【００３７】
前記底板１２上には、吸液シートが敷設された支持体１３が設置される。支持体１３はプラスチック製の平板状であり、前端部の両側には下方に突出する掛止部１３ａが形成されており、また、幅方向の中間位置に、掛止部１３ａと同様に下方に突出する摺動凸部１３ｄが形成されている。そして、後端部は高さ方向の寸法の大きい脚部１３ｂとなっている。また、支持体１３の上面は、平面状の敷設面１３ｃであり、この敷設面１３ｃに吸液シート８が敷かれる。
【００３８】
吸液シート８は、例えば不織布や紙、あるいはシート状にした綿などのシートであり、あるいはシート内に高吸水性樹脂が挟まれたものなどである。吸液シート８は、吸液可能な面が上に向けて敷設される。吸液シート８の裏面には、ポリプロピレンなどの樹脂で形成された不透液性のシートが接着され、または不透液性樹脂がコーティングされる。吸液シート８は、支持体１３の敷設面１３ｃの上に単に載せるだけであってもよいし、あるいは吸液シート８の裏面を両面接着テープなどで敷設面１３ｃに固定してもよい。
【００３９】
あるいは、支持体１３として図４（Ａ）（Ｂ）に示すものを使用するとよい。図４（Ａ）に示すものは、支持体１３の敷設面１３ｃの各角部に、穴１３ｅが形成されている。この穴１３ｅの上に吸液シート８の４つの角が載せられる。そして、この吸液シート８の４つの角の上から掛止部材１３ｆが当てられ、この掛止部材１３ｆは吸液シート８を挟んだ状態で穴１３ｅに嵌合する。これにより、吸液シート８の４つの角部が支持体１３に確実に固定される。
【００４０】
また図４（Ｂ）に示すように、敷設面１３ｃの４つの角に差し込み穴１３ｇを形成し、この差し込み穴１３ｇのそれぞれに吸液シート８の角部を差し込み、吸液シート８を支持体１３に固定してもよい。
【００４１】
図４（Ａ）（Ｂ）のような構造にすると、吸液シート８の裏面に接着テープを付けなくても支持体１３に吸液シート８を固定することができる。また、支持体１３を設置部１１内に挿入し、または離脱させるときに、吸液シート８が支持体１３の敷設面１３ｃ上でずれたり皺が生じることがない。
【００４２】
図２に示すように、前記容器５のフランジ部５ａが、本体部１０内の支持台１０ａに載せられた状態、あるいは容器５を設置する前に、支持体１３が、液吸収体の設置部１１内へ設置される。この設置操作では、支持体１３の前端部側を開口部１１ａから挿入し、前端部を底板１２の水平部１２ａに載せる。
【００４３】
図２にて鎖線で示すように、前端部を開口部１１ａから挿入したときは、ガイド部材１２の水平部１２ａの上方に余裕空間が有るため、前端部を比較的ラフに挿入することができる。そのまま支持体１３を挿入すると、前端部が、底板１２の水平部１２ａから傾斜部１２ｂに至り、前端部が設置穴１０ｂ側へ持ち上げられていく。また、このとき、支持体１３の前端部の摺動凸部１３ｄが案内溝１２ｅ内に入り、支持体１３が設置部１１の奥に挿入されるときに、摺動凸部１３ｄが案内溝１２ｅ内を摺動するため、支持体１３が設置部１１内へ確実に導びかれる。よって、支持体１３を設置部１１内へ挿入しやすい。
【００４４】
さらに支持体１３が押し込まれると、前端部の掛止部１３ａが傾斜部１２ｂの奥側のストッパ部１２ｃの上に載せられ、掛止部１３ａが隙間１２ｄに差し込まれて固定される。このとき、支持体１３の後端部の脚部１３ｂが水平部１２ａに載り、そして支持体１３の敷設面１３ｃは、設置穴１０ｂに密接する位置まで持ち上げられる。この状態では、支持体１３の敷設面１３ｃが水平な向きになり、敷設面１３ｃに敷設された吸液シート８が、容器５の底部５ｃの液透過構造のシート７にほぼ密着する。
【００４５】
また支持体１３を取り出すときには、この支持体１３をほぼ水平方向へ引き出すと、その引出し直後に支持体１３の前端部が傾斜部１２ｂに沿って下降するため、すぐに吸液シート８が容器５の底部５ｃから離れる。よって、引き出そうとする支持体１３の敷設面１３ｃ上の吸液シート８に皺を与えたり引っ掛かりを与えることがなく、吸液シート８がずれることなく支持体１３と一緒に確実に取り出すことができる。
【００４６】
また本体部１０上には必要に応じてカバー１４が被せられる。カバー１４には入口１４ａが形成され、この入口１４ａと、本体部１０に形成された凹部１０ｃとが一致して、猫などのペットの侵入口となる。
【００４７】
例えば猫が使用するとき、前記入口１４ａから容器５内に入る。このとき、猫の体重は、容器５の底部５ｃ、および支持体１３および底板１２で支えられる。よって、容器５の底部５ｃの強度が弱くても、猫の体重を十分に支えることができる。
【００４８】
また、猫の体重を支えることができるように、例えば図５に示すように、本体部１０に設けられた前記支持台１０ａの設置穴１０ｂから下方へ一体成形された凹部１０ｄが形成され、この凹部１０ｄの底面１０ｅに、網目状に多数の穴１０ｆが開口された構造としてもよい。この場合、容器５が設置されたときに、この容器５の液透過構造の底部５ｃが底面１０ｅ上に密着できるように、凹部１０ｄの深さが設定される。
【００４９】
図５に示すものでは、猫などの体重が容器５の底部５ｃに与えられたときにこの体重が丈夫な構造の底面１０ｅで支えられるため、容器５の底部５ｃが変形したりあるいはシート７が破れるなどの心配がなくなる。また、猫などの体重は底面１０ｅで受けることになり、支持体１３には猫の体重が直接に加わらないため、支持体１３の支え部分の構造を簡単にできる。例えば、図５に示すように設置部１１の両内壁に幅寸法の小さいガイド部材１４を形成し、このガイド部材１４で支持体１３を設置部１１内へ案内できるようにしても、支持体１３の支持強度に問題は生じない。
【００５０】
容器５内には粒状体４が入れられているため、猫は自然に粒状体４の上で尿や便を排泄する。便が排泄されたときは、便の周辺にある粒状体４と一緒に便をスコップなどで取り除く。排泄された尿は撥水性の粒状体４に吸収されずに撥水性の粒状体４の粒子の間隙を通って容器５の底部に達し、液透過構造のシート７を通過して、吸液シート８に吸収される。
【００５１】
図２に示すように、支持体１３が設置部１１に設置された状態で、吸液シート８が容器５の底部５ｃのシート７にほぼ密着していると、尿がシート７上に残ることなく、尿が確実に吸液シート８に伝わって吸収される。また、図５に示すように、容器５の底部５ｃが凹部１０ｄの底面１０ｅで支えられる構造の場合も、吸液シート８を底面１０ｅの下面に密着させておくことが好ましい。この構造では、容器５の底部５ｃに残る尿は、底面１０ｅに伝わり、さらに穴１０ｆの周縁部を伝わって吸液シート８に確実に伝わるようになる。
【００５２】
このように、容器５の底部５ｃに吸液シート８が直接にまたは間接的に密着して、吸液シート８に尿が伝わりやすくしておくと、容器５に残る尿は非常にわずかとなり、容器５内に残った尿による悪臭の発生を防止できる。また、粒状体４として消臭機能を有するものを使用すると、容器５内から悪臭の発生を防止できる。
【００５３】
吸液シート８は、例えば一日に一回程度の割合で新しいものと交換するが、この交換作業は、支持体１３を引き出して新たなものと交換すればよいため、簡単である。
【００５４】
また、撥水性の粒状体４は尿を吸収しないため、排尿の度に猫砂を取り替える必要はなく、尿が吸収された吸液シート８を一日に一回程度取り替えればよい。このように一日に出るゴミは吸液シート１枚分であるので、ゴミの量を低減できる。また汚れた粒状体４を洗剤で洗うことができる。このとき洗浄液を容器５内に撒くと、粒状体４が洗浄され、洗浄後の洗浄液はその下に位置する吸液シート８に吸収される。よって、洗浄作業も簡単である。
【００５５】
また、支持体１３の変わりにトレイを使用し、このトレイの凹部内に、粉砕パルプ、綿、シリカゲルなどの液吸収部材を収納して、設置部１１内に入れるようにしてもよい。または、前記粉砕パルプなどとともに消臭剤を収納してもよい。
【図面の簡単な説明】
【００５６】
【図１】本発明のペット用トイレの全体斜視図、
【図２】本発明のペット用トイレの縦断面図、
【図３】（Ａ）（Ｂ）は、粒状体を収納する容器の斜視図、
【図４】（Ａ）（Ｂ）はともに支持体の他の実施の形態を示す斜視図、
【図５】本体部の他の実施の形態を示す斜視図、
【図６】従来のペット用トイレを示す斜視図、
【符号の説明】
【００５７】
４  撥水性の粒状体
５  容器
５ａ  フランジ部
５ｂ  粒状体の収納部
５ｃ  底部
６  シール材
７  液透過構造のシート
８  吸液シート
１０  本体部
１０ａ  支持台
１０ｂ  設置穴
１０ｄ  凹部
１０ｅ  底面
１０ｆ  穴
１１  液吸収体の設置部
１２  底板
１３  支持体
【図１】
2005110700.tif 000003
【図２】
2005110700.tif 000004
【図３】
2005110700.tif 000005
【図４】
2005110700.tif 000006
【図５】
2005110700.tif 000007
【図６】
2005110700.tif 000008